(57)【要約】【課題】パネルの角度変位数及びチルト歯の剛性を保ちつつ、小さいスペースに設置できるチルトパネル及び記録装置を提供する。【解決手段】互いに異なる角度に設けられた複数のチルト歯４１のいずれか一つとレバー５０の先端部５１とを係止させることで所定角度に変位自在な操作パネル２０であって、レバー５０の先端部５１は、チルト歯４１に対して係止する上面５５ａを有する爪部５５を複数有するという構成を採用する。【選択図】図２
2011101962.tif 000002
【特許請求の範囲】
【請求項１】
互いに異なる角度に設けられた複数のチルト歯のいずれか一つとレバーの先端部とを係止させることで所定角度に変位自在なチルトパネルであって、
前記レバーの先端部は、前記チルト歯に対する係止部を複数有することを特徴とするチルトパネル。
【請求項２】
前記レバーの先端部は、隣り合う前記チルト歯の間に収まる形状を有することを特徴とする請求項１に記載のチルトパネル。
【請求項３】
前記レバーの先端部は、隣り合う前記チルト歯の互いに対向する面にそれぞれ接して、隣り合う前記チルト歯の間に収まる形状を有することを特徴とする請求項２に記載のチルトパネル。
【請求項４】
前記レバーの先端部には、前記チルト歯が係止する凹部が形成され、前記凹部内に前記係止部の少なくとも一つが設けられることを特徴とする請求項１〜３のいずれか一項に記載のチルトパネル。
【請求項５】
請求項１〜４のいずれか一項に記載のチルトパネルを有することを特徴とする記録装置。
【発明の詳細な説明】
【技術分野】
【０００１】
本発明は、チルトパネル及び記録装置に関する。
【背景技術】
【０００２】
記録媒体に記録処理を実施する記録装置は、例えば記録ヘッドを備えてインクジェットによる記録処理を実施する形態や、感光体に静電潜像を形成し、トナー像を記録媒体に転写して記録処理を実施する形態等がある。
記録装置は、例えば下記特許文献１のように、所定の情報を表示する表示部や所定の情報を入力するボタン部を有する操作パネルを備えて、ユーザーが該操作パネルを操作することで記録処理に係る所望の設定や操作を行う。特許文献１に記載の操作パネルは、チルト機構を備えており、ユーザーが操作し易い任意の角度に変位させることが可能な構成となっている。
【先行技術文献】
【特許文献】
【０００３】
【特許文献１】特開２００７−８１２４８号公報
【発明の概要】
【発明が解決しようとする課題】
【０００４】
チルト機構の形態としては、特許文献１に記載のようにモータ等を用いて電動でパネルの角度を変位させる形態の他に、ラチェット機構等を用いて手動でパネルの角度を変位させる形態がある。この形態では、互いに異なる角度に設けられた複数のチルト歯のいずれか一つとレバーの先端部とを係止させることで、チルト歯の数と同じ数だけパネルの角度を変位させる。
ところで、上記のようなラチェット機構を配置できるスペースには、装置の仕様によって制限があり、このスペースに基づいてチルト歯の大きさが制限される。このため、スペースが小さいと、それに伴いチルト歯も小さくなって剛性が弱くなり、耐荷重が減少する。その一方で、剛性を保つためにチルト歯の数を減らして、歯厚を確保する手法も考えられるが、レバーの先端部が係止できる数が減り、パネルの角度変位数は減少する。
【０００５】
本発明は、上記問題点に鑑みてなされたもので、パネルの角度変位数及びチルト歯の剛性を保ちつつ、小さいスペースに設置できるチルトパネル及び記録装置を提供することを目的としている。
【課題を解決するための手段】
【０００６】
上記の課題を解決するために、本発明は、互いに異なる角度に設けられた複数のチルト歯のいずれか一つとレバーの先端部とを係止させることで所定角度に変位自在なチルトパネルであって、上記レバーの先端部は、上記チルト歯に対する係止部を複数有するという構成を採用する。
このような構成を採用することによって、本発明では、レバーの先端部に一つのチルト歯に対して複数の係止部を備えさせることで、パネルの角度変位数を、チルト歯だけでなくレバーの先端部にも負担させることが可能となる。例えば、レバーの先端部の係止部が２つであれば、チルト歯の数を半数に減らしてもパネルの角度変位数は保たれる。また、チルト歯の数を半数に減らすことができれば、歯と歯の間隔が広がるために、チルト歯一つ一つの歯厚を確保することができる。
【０００７】
また、本発明においては、上記レバーの先端部は、隣り合う上記チルト歯の間に収まる形状を有するという構成を採用する。
このような構成を採用することによって、本発明では、隣り合うチルト歯の間でレバー先端部を保持することが可能となる。
【０００８】
また、本発明においては、上記レバーの先端部は、隣り合う上記チルト歯の互いに対向する面にそれぞれ接して、隣り合う上記チルト歯の間に収まる形状を有するという構成を採用する。
このような構成を採用することによって、本発明では、隣り合うチルト歯の間で保持されたレバー先端部のぐら付きを抑制することが可能となる。
【０００９】
また、本発明においては、上記レバーの先端部には、上記チルト歯が係止する凹部が形成され、上記凹部内に上記係止部の少なくとも一つが設けられるという構成を採用する。
このような構成を採用することによって、本発明では、レバーの先端部がチルト歯を挟み込むようにして係止することが可能となる。
【００１０】
また、本発明においては、先に記載のチルトパネルを有する記録装置を採用する。
【図面の簡単な説明】
【００１１】
【図１】本発明の実施形態におけるインクジェットプリンターを示す斜視図である。
【図２】本発明の実施形態における操作パネルを右側面から視た構成図である。
【図３】本発明の実施形態における操作パネルを右側面から視た構成図である。
【図４】本発明の実施形態における操作パネルの作用を説明するための図である。
【図５】本発明の別実施形態における操作パネルを右側面から視た構成図である。
【図６】本発明の別実施形態における操作パネルを右側面から視た構成図である。
【発明を実施するための形態】
【００１２】
以下、本発明に係るチルトパネル及び記録装置の実施形態について、図を参照して説明する。なお、以下の説明に用いる各図面では、各部材を認識可能な大きさとするため、各部材の縮尺を適宜変更している。本実施形態では、本発明に係るチルトパネルを有する記録装置として、操作パネルを有するインクジェット式プリンター（以下、インクジェットプリンターと称する）を例示する。
【００１３】
図１は、本発明の実施形態におけるインクジェットプリンター１を示す斜視図である。
インクジェットプリンター１は、記録用紙（記録媒体）をスタックするスタック部１０と、ユーザーが所定の情報を入力する操作パネル２０とを有する。
【００１４】
スタック部１０は、ハウジング２に形成された取出口３において、給紙トレイ１１上に排紙トレイ１２が設けられる構成となっている。給紙トレイ１１は、記録用紙の取出方向下流側（装置手前側）に引き出し可能な構成となっている。
操作パネル２０は、スタック部１０の上部に設けられており、ハウジング２と同一面を形成する基準角度から所定の角度へと変位可能なチルト機構（後述）を備える。
【００１５】
インクジェットプリンター１は、操作パネル２０から指令が入力されると、給紙トレイ１１にスタックされている記録用紙を一枚ずつピックアップして、ハウジング２内に配置された不図示の記録ヘッドを走査させ、記録用紙にインクを噴射し、文字や画像等の所望の情報を記録する記録処理を実施する。記録処理を経た記録用紙は、給紙トレイ１１上に配置された排紙トレイ１２上に排紙されてスタックされる。
【００１６】
次に、図２及び図３を参照して、本実施形態の操作パネル２０のチルト機構の構成について詳しく説明する。
図２及び図３は、本発明の実施形態における操作パネル２０を右側面から視た構成図である。なお、図２及び図３では、互いに異なる角度に変位した操作パネル２０を示している。
【００１７】
図に示すように、操作パネル２０は、手動でパネルの角度を変位させるラチェット形態のチルト機構を有している。操作パネル２０は、パネル本体３０と、チルト歯ユニット４０と、レバー５０とを有する。操作パネル２０は、チルト歯ユニット４０のチルト歯４１と、レバー５０の先端部５１とを係止させることで、所定角度に変位自在な構成となっている。
【００１８】
パネル本体３０の表面３０ａには、表示部及びボタン部が設けられる（図１参照）。パネル本体３０は、その両側面から突出して設けられた回動軸３１を有する。回動軸３１は、ハウジング２に固定された軸受に軸支されており、パネル本体３０は、この回動軸３１を通る軸周りに変位自在な構成となっている。
チルト歯ユニット４０は、パネル本体３０の裏面３０ｂ側に配置されてパネル本体３０と独立してハウジング２に固定されている。チルト歯ユニット４０は、回動軸３１を中心とした基準円に沿って設けられて互いに異なる角度に配置される複数のチルト歯４１を有する。
【００１９】
チルト歯４１は、歯を傾けたラック形状となっており、上面４１ａ側では、パネル本体３０を時計回りに回動させる力が加わった時に、レバー５０の先端部５１が容易に乗り越えられるような傾斜となっており、一方の下面４１ｂ側では、パネル本体３０を反時計回りに回動させる力が加わった時に、レバー５０の先端部５１の歯の乗り越えを防止するような傾斜となっている。具体的に、パネル本体３０を反時計回りに回動させる力が加わる時は、表面３０ａからのボタン部の押下時であり、チルト歯４１は下面４１ｂ側でボタン部の押下時の荷重を支える構成となっている。
【００２０】
レバー５０は、パネル本体３０の裏面３０ｂ側に配置されてパネル本体３０と一体的に変位可能な構成となっている。レバー５０は、その先端部５１をチルト歯４１のいずれか一つと係止させる係止位置と、該係止を解除する係止解除位置との間において回動させる回動軸５２を有する。回動軸５２は、パネル本体３０の裏面３０ｂに設けられた軸受部３２に軸支されている。このレバー５０は、先端部５１がバネ部材５３によって裏面３０ｂに向かって付勢されており、回動軸５２を挟んで先端部５１と逆側の取手部５４をユーザーが操作することで、先端部５１とチルト歯４１との係止／係止解除が可能な構成となっている。
【００２１】
レバー５０の先端部５１は、チルト歯４１に対して係止する爪部５５を複数有する。爪部５５は、チルト歯４１の下面４１ｂと係止する上面（係止部）５５ａを有する。本実施形態のレバー５０の先端部５１は、第１爪部５５Ａと第２爪部５５Ｂとを有しており、第１爪部５５Ａと第２爪部５５Ｂとの間に形成される凹部内に第２爪部５５Ｂの上面５５ａが設けられる。このレバー５０の先端部５１は、図に示すように、チルト歯４１の下面４１ｂと、第１爪部５５Ａの上面５５ａあるいは第２爪部５５Ｂの上面５５ａとを係止させて、パネル本体３０を支える構成となっている。
【００２２】
図に示すように、本実施形態のチルト歯ユニット４０は、回動軸３１を中心とした基準円に基づいて設定される基準ピッチでの基準歯数よりも、少ない歯数のチルト歯４１で構成されている。本実施形態のチルト歯４１は、基準歯の配置位置に対して一つおきに配置されている。すなわち、チルト歯ユニット４０は、基準歯数に対して半数のチルト歯４１で構成されている。
【００２３】
一方、本実施形態のレバー５０の先端部５１は、一つのチルト歯４１に対して二つの位置で係止する二つの爪部５５を有する。この爪部５５は、特定の基準歯に対して一方の爪部５５の上面５５ａが係止する時に該特定の基準歯と隣接する基準歯に他方の爪部５５の上面５５ａが係止するような、基準ピッチの間隔で設けられている。すなわち、本実施形態のチルト歯ユニット４０との関係においては、一つのチルト歯４１の下面４１ｂに対して、第１爪部５５Ａの上面５５ａ及び第２爪部５５Ｂの上面５５ａの一方が係止し、両方が同時に係止することがない配置となる。
【００２４】
続いて、上記構成の操作パネル２０のチルト動作及び作用について説明する。
【００２５】
操作パネル２０を図２に示す角度から図３に示す角度に変位させる場合は、ユーザーは、パネル本体３０を装置手前側に持ち上げる操作を行う。パネル本体３０が装置手前側に持ち上がると、第１爪部５５Ａの上面５５ａとチルト歯４１の下面４１ｂとの係止状態が解除される。また、パネル本体３０を時計回りに回動させる力が加わるため、爪部５５がその下方のチルト歯４１を乗り越える。
そして、図３に示す角度にパネル本体３０を変位させた時には、チルト歯４１を乗り越えた第２爪部５５Ｂが、バネ部材５３の付勢によって係止位置に位置して、第２爪部５５Ｂの上面５５ａと乗り越えたチルト歯４１の下面４１ｂとが係止状態となる。
また、図３に示すように、本実施形態のレバー５０の先端部５１には、チルト歯４１が係止する凹部が形成され、凹部内に第２爪部５５Ｂの上面５５ａが設けられているため、レバー５０の先端部５１がチルト歯４１を挟み込むようにして係止することで、パネル本体３０の回動軸３１周りのぐら付きが抑制される。
【００２６】
逆に、操作パネル２０を図３に示す角度から図２に示す角度に変位させる場合は、ユーザーは、レバー５０の取手部５４を裏面３０ｂ側に押し付けつつ、パネル本体３０を装置奥側に押し込む操作を行う。レバー５０の取手部５４を裏面３０ｂ側に押し付けると、レバー５０の先端部５１が係止位置から係止解除位置に回動し、第２爪部５５Ｂの上面５５ａとチルト歯４１の下面４１ｂとの係合状態が解除される。第２爪部５５Ｂの上面５５ａとチルト歯４１の下面４１ｂとの係合状態が解除されると、パネル本体３０を反時計回りに回動させることが可能となる。
そして、図３に示す角度にパネル本体３０を変位させた時に、レバー５０の取手部５４の押し付けを解除すると、第１爪部５５Ａは、バネ部材５３の付勢によって係止位置に位置して、第１爪部５５Ａの上面５５ａとチルト歯４１の下面４１ｂとが係止状態となる。
また、図２に示すように、本実施形態のレバー５０の先端部５１は、隣り合うチルト歯４１の間に収まる形状となっているため、隣り合うチルト歯４１の間でレバー５０の先端部５１を保持でき、パネル本体３０の回動軸３１周りのぐら付きが抑制される。
【００２７】
上記のように、本実施形態では、互いに異なる角度に設けられた複数のチルト歯４１のいずれか一つとレバー５０の先端部５１とを係止させることで所定角度に変位自在な操作パネル２０であって、レバー５０の先端部５１は、チルト歯４１に対して係止する上面５５ａを有する爪部５５を複数有するという構成を採用し、レバー５０の先端部５１に一つのチルト歯４１に対し二つ以上の箇所で係止可能とさせることで、パネルの角度変位数を、チルト歯４１だけでなくレバー５０の先端部５１にも負担させることが可能となる。本実施形態のように、レバー５０の先端部５１の爪部５５が２つであれば、チルト歯４１の数を半数に減らしてもパネルの角度変位数は保たれる。また、チルト歯の数を半数に減らすことができれば、歯と歯の間隔が広がるために、チルト歯一つ一つの歯厚を確保することができる。
【００２８】
すなわち、図４に示すように、スペースの制限でチルト歯ユニット４０が小さくなり、チルト歯ユニット４０の歯底円が図４中、Ｒ１からＲ２に小さくなっても、歯数を少なくすることによりチルト歯４１の間隔を開けて、チルト歯４１の大きさを調整することができる。
例えば、通常、Ｒ１からＲ２に歯底円が小さくなるとチルト歯４１もそれに基づいて小さくなり剛性が弱まるが、本実施形態では歯と歯の間隔が広がるためにＲ２における歯形をＲ１と同一の歯形とすることができるためＲ１と同等の剛性を持たせることができる。また、Ｒ１とＲ２の歯形を同一にできれば、チルト歯４１を削り出す工具も共通して使用でき、作業性が向上する。
また、例えば、チルト歯４１の大きさを符号４１´に示す大きさに調整することも可能となる。
【００２９】
したがって、上述の本実施形態によれば、パネルの角度変位数及びチルト歯４１の剛性を保ちつつ、小さいスペースに設置できる操作パネル２０及びそれを備えるインクジェットプリンター１が得られる。
【００３０】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３１】
例えば、上述の実施形態においては、チルト歯４１は、歯を傾けたラック形状となっていると説明したが、本発明はこの構成に限定されるものではなく、例えば図５及び図６に示すような構成であってもよい。
図５及び図６は、本発明の別実施形態における操作パネル２０を右側面から視た構成図である。別実施形態におけるチルト歯４１は、歯を傾けないギア形状となっている。また、レバー５０の先端部５１の形状も、チルト歯４１のギア形状に対応した形状となっている。なお、図５及び図６では、上述の実施形態と同一又は同等の構成部分については同一の符号を付している。
この別実施形態によれば、図５に示すように、レバー５０の先端部５１は、隣り合うチルト歯４１の互いに対向する面にそれぞれ接して、隣り合うチルト歯４１の間に収まる形状となっているため、隣り合うチルト歯４１の間で保持されたレバー５０の先端部５１のぐら付きをより確実に抑制することが可能となる。
【００３２】
また、例えば、上述の実施形態においては、記録装置がインクジェットプリンター１である場合を例にして説明したが、インクジェットプリンターに限られず、複写機及びファクシミリ等の装置であってもよい。
【符号の説明】
【００３３】
１…インクジェットプリンター（記録装置）、２０…操作パネル（チルトパネル）、４０…チルト歯ユニット、４１…チルト歯、５０…レバー、５１…先端部、５５…爪部、５５Ａ…第１爪部、５５Ｂ…第２爪部、５５ａ…上面（係止部）
【図１】
2011101962.tif 000003
【図２】
2011101962.tif 000004
【図３】
2011101962.tif 000005
【図４】
2011101962.tif 000006
【図５】
2011101962.tif 000007
【図６】
2011101962.tif 000008